(57)【要約】【課題】フロアに設置された複数の照明器具のアドレスを低コストで簡単に設定する。【解決手段】照明制御装置１０は、フロアに設置された複数の照明器具Ｌを制御する。管理装置２０は、１つの照明器具Ｌの点灯状態が他の照明器具Ｌの点灯状態と異なる状態を照明制御装置１０に生成させる。端末装置３０の位置特定部３２２は、フロア図の中における、点灯状態が他と異なる照明器具の位置を、複数の照明器具の点灯状態を見ているユーザの位置指定操作に基づき特定する。【選択図】図２
2018160479.tif 000002
【特許請求の範囲】
【請求項１】
フロアに設置された複数の照明器具を制御する照明制御装置と、
前記照明制御装置に接続された管理装置と、
前記管理装置と通信可能な端末装置と、を備え、
前記管理装置は、１つの照明器具の点灯状態が他の照明器具の点灯状態と異なる状態を前記照明制御装置に生成させ、
前記端末装置は、
フロア図を表示する表示部と、
前記フロア図の中における、点灯状態が他と異なる照明器具の位置を、前記複数の照明器具の点灯状態を見ているユーザの位置指定操作に基づき特定する位置特定部とを有することを特徴とする照明制御システム。
【請求項２】
フロアに設置された複数の照明器具を制御する照明制御装置と、前記照明制御装置に１つの照明器具の点灯状態が他の照明器具の点灯状態と異なる状態を生成させる管理装置と、を備える照明制御システムにおける端末装置であって、
フロア図を表示する表示部と、
前記フロア図の中における、点灯状態が他と異なる照明器具の位置を、前記複数の照明器具の点灯状態を見ているユーザの位置指定操作に基づき特定する位置特定部とを有することを特徴とする端末装置。
【請求項３】
フロアに設置された複数の照明器具を制御する照明制御装置と、前記照明制御装置に１つの照明器具の点灯状態が他の照明器具の点灯状態と異なる状態を生成させる管理装置と、を備える照明制御システムにおける端末装置として動作させるための制御方法であって、
前記端末装置の表示部にフロア図を表示するステップと、
前記フロア図の中における、点灯状態が他と異なる照明器具の位置を、前記複数の照明器具の点灯状態を見ているユーザの位置指定操作に基づき特定するステップとを有することを特徴とする制御方法。
【請求項４】
フロアに設置された複数の照明器具を制御する照明制御装置と、
前記照明制御装置と通信可能な端末装置と、を備え、
前記照明制御装置は、１つの照明器具の点灯状態が他の照明器具の点灯状態と異なる状態を前記照明制御装置に生成させ、
前記端末装置は、
フロア図を表示する表示部と、
前記フロア図の中における、点灯状態が他と異なる照明器具の位置を、前記複数の照明器具の点灯状態を見ているユーザの位置指定操作に基づき特定する位置特定部とを有することを特徴とする照明制御システム。
【請求項５】
フロアに設置された複数の照明器具を制御し、１つの照明器具の点灯状態が他の照明器具の点灯状態と異なる状態を生成させる照明制御装置と通信する端末装置であって、
フロア図を表示する表示部と、
前記フロア図の中における、点灯状態が他と異なる照明器具の位置を、前記複数の照明
器具の点灯状態を見ているユーザの位置指定操作に基づき特定する位置特定部とを有することを特徴とする端末装置。
【請求項６】
フロアに設置された複数の照明器具を制御し、１つの照明器具の点灯状態が他の照明器具の点灯状態と異なる状態を生成させる照明制御装置と通信する端末装置として動作させるための制御方法であって、
前記端末装置の表示部にフロア図を表示するステップと、
前記フロア図の中における、点灯状態が他と異なる照明器具の位置を、前記複数の照明器具の点灯状態を見ているユーザの位置指定操作に基づき特定するステップとを有することを特徴とする制御方法。
【請求項７】
請求項３または６に記載の制御方法をコンピュータに実行させるためのプログラム。
【発明の詳細な説明】
【技術分野】
【０００１】
本発明は、オフィスビル等の施設に設置される複数の照明器具を制御する照明制御システム、端末装置、制御方法、及びプログラムに関する。
【背景技術】
【０００２】
オフィスビルではフロアごとに多数の照明器具が設置される。それら多数の照明器具は、機械室などに設置された照明制御装置により集中的に制御される。照明制御のスケジュール機能により照明制御装置が自動的に照明の点灯／消灯を制御したり、フロアの壁に設置されたスイッチがユーザにより操作されると、照明制御装置に操作信号が伝送され、照明制御装置が該当の照明器具を制御する。
【０００３】
近年、通信機能付きの照明器具が実用化されており、照明制御装置から通信線を介して照明器具の個別制御が可能になっている。このような照明制御システムでは、同一の通信線に接続された複数の照明器具を識別するために各照明器具にアドレスが割り当てられる。予め各照明器具にアドレスを設定しておき、工事作業者がそのアドレス順に照明器具を天井に配設していくことが考えられるが、アドレスを確認しながらの作業は円滑な作業の妨げになる。
【０００４】
照明器具の設置後に、照明制御装置から複数の照明器具に自動的にアドレスを割り当てることも考えられる。ただし照明制御装置は各照明器具の設置位置を認識できないため、照明装置の配置順に沿ったアドレスを割り当てることが困難である。照明制御装置は、どの位置の照明器具にどのアドレスを割り当てたかを把握できない。
【０００５】
そこで照明器具の設置後に、赤外線ポートを備えたリモコン装置を使用して、照明器具の下から赤外線通信でアドレスを設定する方法が用いられている。
【先行技術文献】
【特許文献】
【０００６】
【特許文献１】特開２０１３−０５４８６２号公報
【特許文献２】特開２００６−２７７９７２号公報
【発明の概要】
【発明が解決しようとする課題】
【０００７】
上記のリモコン装置を用いた方法は小規模のシステムには適しているが、大規模なシステムでは煩雑な作業となり、作業者のフロア内での移動も大きくなる。
【０００８】
本発明はこうした状況に鑑みなされたものであり、その目的は、フロアに設置された複数の照明器具のアドレスを低コストで簡単に設定する技術を提供することにある。
【課題を解決するための手段】
【０００９】
上記課題を解決するために、本発明のある態様の照明制御システムは、フロアに設置された複数の照明器具を制御する照明制御装置と、前記照明制御装置に接続された管理装置と、前記管理装置と通信可能な端末装置と、を備える。前記管理装置は、１つの照明器具の点灯状態が他の照明器具の点灯状態と異なる状態を前記照明制御装置に生成させる。前記端末装置は、フロア図を表示する表示部と、前記フロア図の中における、点灯状態が他と異なる照明器具の位置を、前記複数の照明器具の点灯状態を見ているユーザの位置指定操作に基づき特定する位置特定部とを有する。
【００１０】
なお、以上の構成要素の任意の組み合わせ、本発明の表現を方法、装置、システムなどの間で変換したものもまた、本発明の態様として有効である。
【発明の効果】
【００１１】
本発明によれば、フロアに設置された複数の照明器具のアドレスを低コストで簡単に設定できる。
【図面の簡単な説明】
【００１２】
【図１】本発明の実施の形態に係る照明制御システムの構成を示す図である。
【図２】図１の照明制御装置、管理装置および端末装置の構成を示すブロック図である。
【図３】図３（ａ）−（ｃ）は、照明器具の位置特定処理の例を示す図である（その１）。
【図４】図４（ａ）−（ｃ）は、照明器具の位置特定処理の例を示す図である（その２）。
【図５】図５（ａ）−（ｂ）は、アドレス変更処理の例を示す図である。
【図６】アドレス設定処理の流れを示すフローチャートである。
【図７】図７（ａ）−（ｂ）は、明るさセンサのアドレス設定処理の例を示す図である。
【発明を実施するための形態】
【００１３】
図１は、本発明の実施の形態に係る照明制御システム１の構成を示す図である。本実施の形態では照明制御システム１をオフィスビル内のフロアＦに設置する例を想定する。図１はフロアＦを上から見た図であり、斜線のボックスは柱の位置を示している。照明制御システム１は複数の照明器具Ｌ、照明制御装置１０、管理装置２０及び端末装置３０を備える。
【００１４】
照明制御装置１０は、フロアＦに設置された複数の照明器具Ｌを制御する。具体的にはフロアＦの壁に設置された操作スイッチ（不図示）からの操作信号、フロアＦの天井に設置された明るさセンサ（不図示）からのセンサ信号、照明制御装置１０に設定された制御スケジュール、及び管理装置２０からの制御信号に基づき、特定の照明器具Ｌの点灯／消灯を制御する。また調光を制御することもできる。
【００１５】
照明制御装置１０は通信アダプタ装置に接続するための通信線（以下、アダプタ通信線という）Ｃ０により複数の通信アダプタ装置Ａ１〜Ａ５に接続される。図１に示す例では５台の通信アダプタ装置Ａ１〜Ａ５が接続されている。通信アダプタ装置Ａ１〜Ａ５はフロアＦの天井に設置される。通信アダプタ装置Ａ１には照明器具に接続するための２本の通信線（以下、器具通信線という）Ｃ１１、Ｃ１２が接続されている。一方の器具通信線Ｃ１１には６台の照明器具Ｌが接続されており、他方の器具通信線Ｃ１２には８台の照明器具Ｌが接続されている。なお、通信アダプタ装置Ａ１〜Ａ５を使用せず、照明制御装置１０と器具通信線が直接接続される構成としてもよい。
【００１６】
なお１本の器具通信線に接続可能な照明器具Ｌの台数には上限があり、その上限の範囲で、１本の器具通信線に任意の台数の照明器具Ｌが接続される。また１台の通信アダプタ装置に接続される器具通信線は２本に限るものではなく、４本の器具通信線で４系統としてもよいし、１本の器具通信線で１系統としてもよい。図１では５台の通信アダプタ装置Ａ１〜Ａ５のそれぞれに、２系統の器具通信線（Ｃ１１、Ｃ１２）、（Ｃ２１、Ｃ２２）、（Ｃ３１、Ｃ３２）、（Ｃ４１、Ｃ４２）、（Ｃ５１、Ｃ５２）が接続される構成を示している。以下、１本の器具通信線に接続されている複数の照明器具Ｌを１つのグループと考える。なお１つのアダプタ通信装置に接続されている複数の照明器具Ｌを１つのグループと考えてもよいし、１つの照明制御装置１０に接続されている全ての照明器具Ｌを１つのグループと考えてもよい。
【００１７】
照明器具Ｌは照明器具Ｌ自体が照明を点灯／消灯させるための装置と、調光するための装置を備え、分電盤等から電源線（不図示）が配設される。照明装置Ｌは器具通信線を通して点灯／消灯、および、調光の制御命令を照明制御装置１０から受信し、点灯／消灯、および調光を実施する。なお、照明装置Ｌを通信機能を持たない従来の照明器具とすることもできる。従来の照明器具を使用する場合は、各電源線がリレー等の電源スイッチに接続され、電源スイッチが照明制御装置１０と通信線で接続される構成とする。この構成では、照明制御装置１０は、特定の電源線に挿入された電源スイッチをオン／オフすることにより、当該電源線に接続された特定のグループに属する複数の照明器具Ｌを一括して点灯／消灯できる。
【００１８】
管理装置２０はネットワークＮ１を介して照明制御装置１０に接続される。管理装置２０は例えばサーバで構成される。ネットワークＮ１には例えばイーサネット（登録商標）を使用できる。管理装置２０は照明制御装置１０及び複数の照明器具Ｌを管理および監視するための装置である。例えば、複数の照明器具Ｌの消費電力の管理、点灯スケジュールの管理などを行う。なお、管理装置２０と照明制御装置１０は一体であるとしてもよく、照明制御装置１０が複数ある構成では、任意の１台が集中的に管理を行うとすることもできる。
【００１９】
端末装置３０は、管理装置２０と通信可能な装置であり、フロアＦ内の作業者（本実施の形態では照明エンジニアまたはサービスマンを想定する）が使用する。以下、本実施の形態では端末装置３０としてタブレットを想定するが、表示操作機能および通信機能を備える端末装置であればよく、ノートＰＣ、スマートフォン等でもよい。
【００２０】
以上の構成において、照明制御装置１０は多数の照明器具Ｌと通信する必要があり、管理装置２０は多数の照明器具Ｌを管理する必要がある。従って各照明器具Ｌに通信および管理に使用するアドレスを付与することが便宜である。各照明器具Ｌには器具固有の器具ＩＤ（例えば、シリアルナンバー）が付与されているが、フロアＦ内に番号順に設置するのは現実的に難しいため設置後にアドレスを外部から割り当てるのが便宜である。
【００２１】
以下、従来のアドレス設定方法の一つを説明する。以下に説明する方法では、赤外線ポートを備えた設定リモコンを使用する。まず設定リモコンを持った作業者が、通信アダプタ装置が設置された場所の近くに赴き、赤外線通信により当該通信アダプタ装置をアドレス設定モードに遷移させる。次に作業員は設定リモコンを操作して、アドレスを設定したい照明器具が点滅するまで順送りしていく。アドレスを設定したい照明器具が点滅すると設定リモコンに、当該照明器具に設定すべきアドレスを入力して通信アダプタ装置に送信する。このアドレスを設定したい照明器具の特定操作とアドレスの設定操作を、当該通信アダプタ装置の配下の全ての照明器具について行う。さらに以上の操作を全ての通信アダプタ装置について行う。
【００２２】
以上の作業は、多数の時計の時刻合わせ一つ一つ行うような作業であり、照明器具の設置数が多いほど手間と時間がかかる。これに対して本実施の形態では、多数の照明器具に短時間で簡単にアドレスを設定する方法を実現する。
【００２３】
図２は、図１の照明制御装置１０、管理装置２０及び端末装置３０の構成を示すブロック図である。照明制御装置１０は通信部１１、制御部１２、記憶部１３及び駆動回路１４を備える。
【００２４】
管理装置２０は通信部２１、制御部２２及び記憶部２３を備える。制御部２２はアドレス設定部２２１、点灯制御指示部２２２及び連携処理部２２３を有する。制御部２２には、本実施の形態にて注目するアドレス設定機能に関連する機能ブロックのみを描いている。制御部２２の構成は、ハードウェア資源とソフトウェア資源の協働、又はハードウェア資源単体により実現できる。ハードウェア資源としてプロセッサ、ＲＯＭ、ＲＡＭ、その他のＬＳＩを利用できる。ソフトウェア資源としてオペレーティングシステム、アプリケーション等のプログラムを利用できる。
【００２５】
端末装置３０は通信部３１、制御部３２、記憶部３３、表示部３４及び操作部３５を備える。制御部３２は描画部３２１、位置特定部３２２及び連携処理部３２３を有する。制御部３２には、本実施の形態にて注目するアドレス設定機能に関連する機能ブロックのみを描いている。制御部３２の構成も、ハードウェア資源とソフトウェア資源の協働、又はハードウェア資源単体により実現できる。端末装置３０としてタブレットが使用される場合、表示部３４及び操作部３５はタッチパネルディスプレイ３４ａで構成される。
【００２６】
作業者は、端末装置３０を携帯してフロアＦに赴く。作業者は端末装置３０のタッチパネルディスプレイ３４ａを操作してアドレス設定モードの起動を指示する。タッチパネルディスプレイ３４ａから起動指示を受け付けると、連携処理部３２３は通信部３１を介して、アドレス設定モードの起動指示を管理装置２０に通知する。
【００２７】
通信部３１は、ネットワークＮ１に接続されたアクセスポイント（不図示）に無線接続して管理装置２０の通信部２１と通信チャンネルを確立する。なおタブレットではなくＰＣを使用し、アクセスポイントが近くに存在する場合、ＰＣとアクセスポイントをＬＡＮケーブル等で有線接続してもよい。また管理装置２０が端末装置３０の近くに存在する場合、短距離無線通信を使用して管理装置２０に接続してもよい。
【００２８】
連携処理部３２３が管理装置２０にアクセス設定モードの起動指示を通知するとともに、描画部３２１は当該フロアＦのフロア図をタッチパネルディスプレイ３４ａに描画する。このフロア図は照明器具Ｌが描かれていない状態の図である。
【００２９】
照明制御システム１では、ビル内の照明器具Ｌの運用状況を監視するためフロアごとにフロア図が生成される。フロア図は、フロアを上から見た見取図（平面図）で生成される。ビル管理者は、管理装置２０に接続されたコンソール端末（不図示）にフロア図をグラフィカルに表示させ、各照明器具Ｌの点灯状況を監視する。また入居者の端末装置（例えばＰＣ）をネットワークＮ１に接続し、入居者が入居しているフロアのフロア図を入居者の端末装置に表示できるようにしてもよい。
【００３０】
フロア図は照明エンジニアにより事前に作成される。従来、フロアの間取り図に照明器具のアイコンを実際の設置位置に対応させて配置し、配置した照明器具にアドレスを設定する作業をグラフィック画面上で全て手作業で行っていた。本実施の形態では、このフロア図のグラフィック画面上で照明器具のアイコンを配置し、各照明器具にアドレスを設定する作業を半自動化する。事前にフロアの間取り図を端末装置３０の記憶部３３に記憶しておく。端末装置３０の記憶部３３及び管理装置２０の記憶部２３にはＳＳＤ、ＨＤＤ等の記録媒体が使用される。
【００３１】
管理装置２０の連携処理部２２３は、端末装置３０からアドレス設定モードの起動指示を受けるとアドレス設定モードを起動する。アドレス設定モードが起動されると、アドレス設定部２２１は１つのグループに属する複数の照明器具Ｌに初期アドレスを割り当てるよう照明制御装置１０に指示する。その際、そのグループに属する照明器具Ｌに割り当てるアドレスの範囲を指定することができる。
【００３２】
照明制御装置１０の制御部１２は、管理装置２０から初期アドレスの割り当て指示を受けると、指定されたグループに属する複数の照明器具Ｌに、指定された範囲のアドレスをランダムに付与する。例えば指定されたグループの器具通信線に接続された複数の照明器具Ｌにコマンドを送信して応答があった順にアドレスを昇順に割り当てる。
【００３３】
各照明器具Ｌに取り付けられている通信装置（不図示）は、照明制御装置１０から割り当てられたアドレスを記憶する。なお照明制御装置１０は以上のアドレス割り当て処理を、指定されたグループの通信アダプタ装置に依頼して、当該通信アダプタ装置に実行させてもよい。また各照明器具Ｌに付与されるアドレスはグローバルアドレスでもよいし、グループアドレスであってもよい。グループアドレスの場合、各照明器具Ｌのアドレスと、通信アダプタ装置のアドレスが結合されてグローバルアドレスとして使用される。さらに照明制御装置１０が複数使用される大規模なシステムでは、照明制御装置１０のアドレスがさらに結合されて使用される。
【００３４】
管理装置２０の点灯制御指示部２２２は、アドレス順に照明器具Ｌを点灯させる制御を実行するよう照明制御装置１０に指示する。例えばグループ内において最も小さいアドレスの照明器具Ｌを点灯させ、残りの照明器具Ｌを消灯させる。なおグループ内の複数の照明器具Ｌにおいて、１つの照明器具Ｌの点灯状態が他の照明器具Ｌの点灯状態と異なる状況を作り出せればよい。例えば１つの照明器具Ｌを消灯させ、残りの照明器具Ｌを点灯させてもよいし、１つの照明器具Ｌを点滅させ、残りの照明器具Ｌを点灯または消灯させてもよい。
【００３５】
端末装置３０のユーザである作業者はフロアＦ内において、複数の照明器具Ｌの点灯状態を見ている。当該ユーザは、タッチパネルディスプレイ３４ａに描画されているフロア図の中において、点灯状態が他と異なる照明器具Ｌの位置を指定する。当該位置を指でタッチしてもよいし、スタイラスペンでタッチしてもよい。またマウスが使用できる場合、マウスのポインタで指定してもよい。
【００３６】
位置特定部３２２は当該ユーザの位置指定操作に、タッチパネルディスプレイ３４ａに表示されたフロア図の中における、点灯状態が他と異なる照明器具Ｌの位置を特定する。具体的には指定された位置の座標データを取得する。連携処理部３２３は、点灯状態が他と異なる照明器具Ｌの位置が特定されたことを示す情報を管理装置２０に通知する。最もシンプルな設計では座標データは通知せず、位置が特定された事実のみを通知する。
【００３７】
管理装置２０の連携処理部２２３は、端末装置３０から位置が特定されたことを示す情報を取得すると点灯制御指示部２２２に渡す。点灯制御指示部２２２は、当該情報を取得すると点灯状態が他と異なる照明器具Ｌを、次のアドレスの照明器具に切り替えるよう照明制御装置１０に指示する。
【００３８】
管理装置２０の連携処理部２２３は、グループ内の全ての照明器具Ｌの点灯制御が終了すると端末装置３０に通知する。グループ内における最後の照明器具Ｌの位置特定が終了した後、端末装置３０のアドレス指定部３２４はユーザの操作に基づき、複数の照明器具Ｌのアドレスを変更する。例えばアドレス指定部３２４は、タッチパネルディスプレイ３４ａに表示されたフロア図の中の複数の照明器具Ｌをユーザがタッチした順番に、複数の照明器具Ｌにアドレスを昇順または降順に割り当てる。
【００３９】
割り当てるアドレスは、管理装置２０が初期に自動割り当てしたアドレスの範囲内のアドレスであってもよいし、ユーザが新たに指定した範囲のアドレスであってもよい。後者の場合、例えばタッチパネルディスプレイ３４ａに、割り当てるアドレスの範囲の先頭アドレスをユーザに入力させるためのウインドウを表示させてもよい。
【００４０】
図３（ａ）−（ｃ）は、照明器具の位置特定処理の例を示す図である（その１）。図４（ａ）−（ｃ）は、照明器具の位置特定処理の例を示す図である（その２）。図３（ａ）はフロアＦにおいて、一番左の列の下から３番目の照明器具Ｌ１が、他と点灯状態が異なる照明器具として点灯されている状況を示している。フロアＦ内にいる端末装置３０を保持しているユーザはこの状況を見て、タッチパネルディスプレイ３４ａに表示されているフロア図の中においてＰ１地点をタッチする（図３（ｂ）参照）。描画部３２１は当該Ｐ１地点に照明器具Ｌ１のアイコンＩ１を描画する（図３（ｃ）参照）。
【００４１】
管理装置２０から端末装置３０が照明器具Ｌ１の初期アドレスを取得している場合、端末装置３０の描画部３２１は当該アイコンＩ１の中または近傍に初期アドレスを描画してもよい。また初期アドレスの代わりに描画順番を示す数字を描画してもよい。
【００４２】
また照明器具Ｌとして複数の機種が使用されている場合、照明器具Ｌの位置をタッチするとともに機種を入力できるようにしてもよい。例えば照明器具Ｌの位置がタッチされると、機種の選択メニューがポップアップメニューとして開き、ユーザが選択できるようにしてもよい。
【００４３】
タッチされた信号を管理装置２０が端末装置３０から受信すると、管理装置２０の点灯制御指示部２２２は、初期アドレス順で次の照明器具を点灯するよう照明制御装置１０に指示する。図４（ａ）はフロアＦにおいて、一番左の列の下から１番目の照明器具Ｌ２が、次の照明器具として点灯されている状況を示している。ユーザはこの状況を見て、タッチパネルディスプレイ３４ａに表示されているフロア図の中においてＰ２地点をタッチする（図４（ｂ）参照）。描画部３２１は当該Ｐ２地点に照明器具Ｌ２のアイコンＩ２を描画する（図４（ｃ）参照）。以上の処理を繰り返すことにより、フロア図に全ての照明器具Ｌのアイコンが追加される。
【００４４】
ユーザのタッチ位置にそのまま照明器具のアイコンを追加していくと、アイコンが綺麗に整列しない可能性が高い。そこでグリッド線を表示し、ユーザがタッチした位置に最も近いグリッド線の交点にアイコンが吸い付くようにしてもよい。
【００４５】
図５（ａ）−（ｂ）は、アドレス変更処理の例を示す図である。図５（ａ）は、フロアＦの一番左側に設置された１４個の照明器具Ｌのアドレスを変更する様子を示している。この例は図１の通信アダプタ装置Ａ１に接続された１４個の照明器具Ｌを１つのグループとしている例である。
【００４６】
ユーザは、アドレスを割り当てたい照明器具の順番にアイコンを指でなぞっていく（矢印参照）。図５（ｂ）は、なぞられた後の図５（ａ）の領域Ｒ１を拡大して示した図である。アドレス指定部３２４は、なぞられた順に照明器具にアドレスを割り当てる。描画部３２１は照明器具のアイコン内に、割り当てられたアドレスを描画する。以上の処理を全ての照明器具について繰り返すことにより、照明器具が追加されたフロア図が完成する。描画部３２１は当該フロア図のデータを記憶部３３に保存する。
【００４７】
図５（ａ）において、指でなぞる代わりにスタイラスペンでなぞっても、指またはスタイラスペンで順番にアイコンをタッチしていってもよいし、マウスが使用できる場合は、マウスのポインタで順番に指定してもよい。また、任意の照明器具を１台ずつ指定し、任意のアドレスを割り当てていくとしてもよい。またアドレス指定部３２４が所定の規則に従いアドレスを自動で割り当ててもよい。例えばユーザがアドレスを割り当てる照明器具の範囲を指定すると、アドレス指定部３２４が当該範囲内の照明器具に順番にアドレスを割り当てる。主走査方向の進行方向と副走査方向の進行方向を予め設定しておけば、自動でアドレスを割り当てることができる。
【００４８】
連携処理部３２３は、複数の照明器具に割り当てられたアドレスの情報を管理装置２０に提供する。管理装置２０から端末装置３０に複数の照明器具の初期アドレスが通知されている場合、上記アドレスの情報として初期アドレスと、端末装置３０で割り当てたアドレスとの対応テーブルを提供する。端末装置３０に初期アドレスが通知されていない場合、上記の点灯制御における点灯順番と、各順番で点灯された照明器具に割り当てたアドレスとの対応テーブルを提供する。この場合、管理装置２０のアドレス設定部２２１が、初期アドレスを、端末装置３０から取得したアドレスに変換する。また、端末装置３０から管理装置２０にアドレス設定済みの照明器具が追加されたフロア図のデータを提供するとしてもよい。
【００４９】
アドレス設定部２２１は、変換後のアドレスで上記アドレステーブルを更新して照明制御装置１０に提供する。照明制御装置１０の制御部１２は、当該アドレステーブルを参照して各照明器具Ｌの通信装置にアドレスを通知する。各照明器具Ｌの通信装置は、自己の初期アドレスを宛先とする信号を受信して、当該信号に含まれる変更後のアドレスを取得する。なお照明制御装置１０が上記アドレステーブルを参照してアドレスと初期アドレスを常に変換処理することにより、照明制御装置１０と照明器具Ｌの通信装置間は初期アドレスを識別子として使用してもよい。
【００５０】
上記の説明では端末装置３０の描画部３２１が、照明器具Ｌのアイコンをフロア図のデータに追加していく例を説明したが、管理装置２０の図示しない描画部で追加していってもよい。この場合、管理装置２０と端末装置３０で同じフロア図のデータを事前に共有し、上述した端末装置３０から管理装置２０に通知される、点灯状態が他と異なる照明器具Ｌの位置が特定されたことを示す情報に当該位置の座標データを含めればよい。
【００５１】
図６は、アドレス設定処理の流れを示すフローチャートである。端末装置３０の連携処理部３２３はユーザからアドレス設定モードの起動操作を受け付けると、管理装置２０にアドレス設定モードの起動を指示する（Ｓ３０）。管理装置２０の連携処理部２２３は、端末装置３０からアドレス設定モードの起動指示を受けると、アドレス設定モードを起動する（Ｓ２０）。アドレス設定部２２１は照明制御装置１０に、指定されたグループに属する照明器具に対するアドレスの自動割り当てを指示する（Ｓ２１）。
【００５２】
照明制御装置１０の制御部１２は、管理装置２０からアドレス自動割り当て指示を受けると、照明器具の配置と無関係にランダムに、当該グループに属する照明器具に対してアドレスを割り当てる（Ｓ１０）。
【００５３】
管理装置２０の点灯制御指示部２２２は、照明制御装置１０から自動で割り振られた初期アドレスを取得すると、１つの照明器具の点灯を指示する（Ｓ２２）。この指示は当該アドレスの若い順になされる。照明制御装置１０の制御部１２は、当該点灯指示を受けると、指定されたアドレスの照明器具を点灯させる（Ｓ１１）。
【００５４】
端末装置３０の連携処理部３２３は、タッチパネルディスプレイ３４ａに表示されたフロア図において、点灯された照明器具の位置がユーザによりタッチされると、位置特定されることを示す情報を管理装置２０に通知する（Ｓ３１）。管理装置２０の連携処理部２２３は当該通知を受けると、点灯された照明器具のアドレスを確定させる（Ｓ２３）。連携処理部２２３は、上記グループに属する照明器具の全てのアドレス確定が終了したか否か判定する（Ｓ２４）。終了していない場合（Ｓ２４のＮ）、点灯すべき照明器具のアドレスをインクリメントする（Ｓ２５）。その後、ステップＳ２２に遷移する。全てのアドレス確定が終了した場合（Ｓ２４のＹ）、連携処理部２２３はアドレスの割り当て完了を端末装置３０に通知する（Ｓ２６）。
【００５５】
アドレスの割り当て完了通知を受けた後、端末装置３０のアドレス指定部３２４は、ユーザの操作に従いアドレスを変更する（Ｓ３２）。即ちユーザが設定したい順番にアドレスを振り直す。連携処理部３２３は、変更後のアドレスを含むアドレス変更指示を管理装置２０に通知する（Ｓ３３）。管理装置２０のアドレス設定部２２１は、端末装置３０から取得したアドレスで、現在保持している照明器具のアドレスを変更する（Ｓ２７）。アドレス設定部２２１は、変更後のアドレスを含むアドレス変更指示を照明制御装置１０に通知する（Ｓ２８）。照明制御装置１０の制御部１２は、管理装置２０から取得したアドレスで、現在保持している照明器具のアドレスを変更する（Ｓ１２）。管理装置２０の連携処理部２２３はアドレス設定モードを終了し、アドレス設定モードの終了を端末装置３に通知する（Ｓ２９）。
【００５６】
これまで、照明器具のアドレス設定およびフロア図への追加処理を説明した。以下、明るさセンサや壁スイッチなどのアドレス設定およびフロア図への追加処理を説明する。明るさセンサ等のアドレス設定処理では、端末装置３０と連携する設定リモコン（不図示）を使用する。端末装置３０と設定リモコン間の通信には、ＵＳＢなどの有線通信や、Ｂｌｕｅｔｏｏｔｈ（登録商標）や赤外線通信などの短距離無線通信を使用する。
【００５７】
図７（ａ）−（ｂ）は、明るさセンサのアドレス設定処理の例を示す図である。ユーザは、タッチパネルディスプレイ３４ａに表示されているフロア図の中において、明るさセンサの位置を示すＰｓ地点をタッチする（図７（ａ）参照）。端末装置３０の描画部３２１は、タッチされた位置に明るさセンサのアイコンＩｓを追加する。同時に当該明るさセンサのアドレス設定ウインドウが表示され、ユーザは当該明るさセンサに設定したいアドレスを入力する（図７（ｂ）参照）。入力されたアドレスは設定リモコンに転送される。当該設定リモコンを保持しているユーザは当該明るさセンサの近くに赴き、当該設定リモコンを操作して入力したアドレスを赤外線通信で当該明るさセンサに設定する。なお、設定したいアドレスはユーザが設定リモコンに直接入力するとしてもよい。
【００５８】
以上説明したように本実施の形態によれば、ユーザはフロアＦ内の照明器具の点灯状態を見ながら、タッチパネルディスプレイ３４ａに表示されたフロア図に照明器具の位置を指定し、アドレスを振り直すだけの簡単な操作で、複数の照明器具のアドレスを設定できる。また既存の装置だけでアドレスを設定できるため、追加コストを発生させることもない。照明器具Ｌ及び通信アダプタ装置Ａ１〜Ａ５に赤外線受光部を設ける必要がない。
【００５９】
また本実施の形態では、アドレス設定とともにフロア図に照明器具のアイコンが追加されていく。この照明器具のアイコンが追加されたフロア図を、運用状況の監視などに使用されるフロア図のグラフィック画面に流用することにより、当該グラフィック画面の作成作業を軽減できる。さらに明るさセンサや壁スイッチのアドレス設定の際にもフロア図にそれらのアイコンを追加するようにすれば、当該グラフィック画面の作成作業をさらに軽減できる。明るさセンサや壁スイッチは、照明器具のように点滅などによりその位置をユーザに知らせる方法は使用できない。しかしながら明るさセンサや壁スイッチは照明器具として比較して数が少ないため、追加コストをかけてまでアドレス設定作業の対策をとる必要性は小さい。むしろフロア図へのアイコン追加の効果のほうが大きい。
【００６０】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００６１】
上述の実施の形態ではアドレス設定モードが起動した後、指定されたグループに属する複数の照明器具Ｌに、指定された範囲のアドレスをランダムに付与する例を説明した。この点、必ずしも照明器具Ｌに初期アドレスを付与する必要はなく、管理装置２０の点灯制御指示部２２２が、照明制御装置１０から取得した器具ＩＤと点灯順番を管理する方式でもよい。端末装置３０から点灯順番とアドレスの対応関係を取得すれば、管理装置２０のアドレス設定部２２１が器具ＩＤとアドレスとを対応付けることができる。照明器具Ｌの配置変更等ですでにアドレスが付与されている場合は、付与されているアドレスを使用することができる。ただし、すでに付与されているアドレスを使用する場合において、アドレスが未だ付与されていない照明器具の増設を行う等の場合、アドレスが付与されていない照明器具Ｌにのみ自動で当該グループ内で使用されていないアドレスを付与する。
【００６２】
なお、実施の形態は、以下の項目によって特定されてもよい。
【００６３】
［項目１］
フロアに設置された複数の照明器具Ｌを制御する照明制御装置１０と、
前記照明制御装置１０に接続された管理装置２０と、
前記管理装置２０と通信可能な端末装置３０と、を備え、
前記管理装置２０は、１つの照明器具Ｌの点灯状態が他の照明器具Ｌの点灯状態と異なる状態を前記照明制御装置１０に生成させ、
前記端末装置３０は、
フロア図を表示する表示部３４と、
前記フロア図の中における、点灯状態が他と異なる照明器具Ｌの位置を、前記複数の照明器具Ｌの点灯状態を見ているユーザの位置指定操作に基づき特定する位置特定部３２２とを有することを特徴とする照明制御システム１。
これによりフロアに実際に設置された複数の照明器具Ｌと、フロア図の中に描かれる照明器具との対応関係の確認を低コストで簡単に行うことができる。
［項目２］
フロアに設置された複数の照明器具Ｌを制御する照明制御装置１０と、前記照明制御装置１０に１つの照明器具Ｌの点灯状態が他の照明器具Ｌの点灯状態と異なる状態を生成させる管理装置２０と、を備える照明制御システム１における端末装置３０であって、
フロア図を表示する表示部３４と、
前記フロア図の中における、点灯状態が他と異なる照明器具Ｌの位置を、前記複数の照明器具Ｌの点灯状態を見ているユーザの位置指定操作に基づき特定する位置特定部３２２とを有することを特徴とする端末装置３０。
［項目３］
フロアに設置された複数の照明器具Ｌを制御する照明制御装置１０と、前記照明制御装置１０に１つの照明器具Ｌの点灯状態が他の照明器具Ｌの点灯状態と異なる状態を生成させる管理装置２０と、を備える照明制御システム１における端末装置３０として動作させるための制御方法であって、
前記端末装置３０の表示部３４にフロア図を表示するステップと、
前記フロア図の中における、点灯状態が他と異なる照明器具Ｌの位置を、前記複数の照明器具Ｌの点灯状態を見ているユーザの位置指定操作に基づき特定するステップとを有することを特徴とする制御方法。
［項目４］
フロアに設置された複数の照明器具Ｌを制御する照明制御装置１０と、
前記照明制御装置１０と通信可能な端末装置３０と、を備え、
前記照明制御装置１０は、１つの照明器具Ｌの点灯状態が他の照明器具Ｌの点灯状態と異なる状態を前記照明制御装置１０に生成させ、
前記端末装置３０は、
フロア図を表示する表示部３４と、
前記フロア図の中における、点灯状態が他と異なる照明器具Ｌの位置を、前記複数の照明器具Ｌの点灯状態を見ているユーザの位置指定操作に基づき特定する位置特定部３２２とを有することを特徴とする照明制御システム１。
［項目５］
フロアに設置された複数の照明器具Ｌを制御し、１つの照明器具Ｌの点灯状態が他の照明器具Ｌの点灯状態と異なる状態を生成させる照明制御装置１０と通信する端末装置３０であって、
フロア図を表示する表示部３４と、
前記フロア図の中における、点灯状態が他と異なる照明器具Ｌの位置を、前記複数の照明器具の点灯状態を見ているユーザの位置指定操作に基づき特定する位置特定部３２２とを有することを特徴とする端末装置３０。
［項目６］
フロアに設置された複数の照明器具Ｌを制御し、１つの照明器具Ｌの点灯状態が他の照明器具Ｌの点灯状態と異なる状態を生成させる照明制御装置１０と通信する端末装置３０として動作させるための制御方法であって、
前記端末装置３０の表示部３４にフロア図を表示するステップと、
前記フロア図の中における、点灯状態が他と異なる照明器具Ｌの位置を、前記複数の照明器具Ｌの点灯状態を見ているユーザの位置指定操作に基づき特定するステップとを有することを特徴とする制御方法。
［項目７］
請求項３または６に記載の制御方法をコンピュータに実行させるためのプログラム。
【符号の説明】
【００６４】
１  照明制御システム、  １０  照明制御装置、  １１  通信部、  １２  制御部、  １３  記憶部、  １４  駆動回路、  ２０  管理装置、  ２１  通信部、  ２２  制御部、  ２２１  アドレス設定部、  ２２２  点灯制御指示部、  ２２３  連携処理部、  ２３  記憶部、  ３０  端末装置、  ３１  通信部、  ３２  制御部、  ３２１  描画部、  ３２２  位置特定部、  ３２３  連携処理部、  ３２４  アドレス指定部、  ３３  記憶部、  ３４  表示部、  ３４ａ  タッチパネルディスプレイ、  ３５  操作部、  Ｌ  照明器具、  Ａ１  通信アダプタ装置、  Ｆ  フロア、  Ｃ０  アダプタ通信線、  Ｎ１  ネットワーク。
【産業上の利用可能性】
【００６５】
本発明は、商業施設やオフィスビルに設置される照明制御システムに利用可能である。
【図１】
2018160479.tif 000003
【図２】
2018160479.tif 000004
【図３】
2018160479.tif 000005
【図４】
2018160479.tif 000006
【図５】
2018160479.tif 000007
【図６】
2018160479.tif 000008
【図７】
2018160479.tif 000009